(57)【特許請求の範囲】
【請求項１】
緯入れ方向への筬羽の多数列設により形成される緯糸通路を備え、
前記筬羽は、
上壁面、下壁面および奥壁面を有するガイド部と、
前記ガイド部の下に位置する下顎部と、
前記奥壁面と前記下壁面とを繋ぐ円弧面の下部角部と、
前記下顎部の突出側の角部である円弧面の下顎角部と、を備えるエアジェットルームの変形筬において、
前記下顎部の突出長さが５．０ｍｍ以下に設定され、
前記下部角部の曲率半径と前記下顎角部の曲率半径との曲率半径総和が、前記突出長さより小さく設定され、前記下部角部及び前記下顎角部の間に直線部が形成されていることを特徴とするエアジェットルームの変形筬。
【請求項２】
前記直線部の長さが１．５ｍｍ以上であることを特徴とする請求項１記載のエアジェットルームの変形筬。
【発明の詳細な説明】
【技術分野】
【０００１】
この発明は、エアジェットルームの変形筬に関する。
【背景技術】
【０００２】
エアジェットルームの変形筬に関する従来技術として、例えば、特許文献１に開示されたエアジェットルーム用の変形筬が存在する。
特許文献１に開示されたエアジェットルーム用の変形筬は、緯糸通路を形成しており、この緯糸通路内を緯糸が安定して高速飛走をし得るように構成されている。
【０００３】
図４は、特許文献１に開示されたエアジェットルーム用の変形筬を構成する筬羽５１の要部を拡大して示す拡大側面図である。
図４に示すように、筬羽５１では、ガイド孔５２の上壁面５２Ａにおける奥壁面５２Ｂからの延出寸法Ｗａが９．０ｍｍとしているほか、奥壁面５２Ｂにおける上下の寸法Ｗｂを５．５ｍｍとしている。
さらに、筬羽５１では下壁面５２Ｃにおける奥壁面５２Ｂからの延出寸法Ｗｃが４．０ｍｍに設定されている。
上壁面５２Ａから緯入れ用補助ノズル５３の噴射孔５３Ａまでの距離Ｌ１と、下壁面５２Ｃの開口部側の先端から噴射孔５３Ａまでの前後方向の距離Ｌ２は、緯入れ用補助ノズルが織物品質に悪影響を及ぼさないように設定されている。
【０００４】
筬羽５１では、ガイド孔５２における上部角部５２Ｄの円弧面の曲率半径ｒは０．５ｍｍに設定され、下部角部５２Ｅの円弧面の曲率半径Ｒは２．０ｍｍに設定されている。
下壁面５２Ｃの開口側の先端側は、下部角部５２Ｅの曲率半径Ｒと同程度の円弧面により形成され、下壁面５２Ｃは殆ど曲面のみにより構成される。
この変形筬では、緯入れ用補助ノズル５３を筬羽５１により近づけることができ、奥壁面５２Ｂから噴射孔５３Ａまでの距離が短くなっていることから、緯入れ用補助ノズルの空気消費量を低減することができる。
【先行技術文献】
【特許文献】
【０００５】
【特許文献１】特開平８−７４１４３号公報
【発明の概要】
【発明が解決しようとする課題】
【０００６】
しかしながら、特許文献１に開示されたエアジェットルーム用の変形筬では、緯糸の太さによっては緯糸通路から飛び出す緯入れミス発生の頻度が高くなる場合がある。
特に、緯糸に用いる糸が太くなるにつれて緯糸の緯入れミスの頻度が高くなるという傾向がある。
【０００７】
本発明は上記の問題点に鑑みてなされたもので、本発明の目的は、緯入れ用補助ノズルの空気消費量を従来と同程度としつつ、緯糸の緯入れミス発生の頻度を低減することができるエアジェットルームの変形筬の提供にある。
【課題を解決するための手段】
【０００８】
本発明者らは、上記の課題を解決すべく鋭意研究し、試行錯誤を重ねた結果、筬羽に緯入れ用ノズルをできるかぎり接近させることを前提とし、筬羽のガイド部および下顎部の寸法設定を工夫することで、緯入れミスを低減させることを見出した。
そして、本発明者らはこの知見を発展させることで以下に示す本発明を完成させるに至っている。
【０００９】
本発明は、緯入れ方向への筬羽の多数列設により形成される緯糸通路を備え、前記筬羽は、上壁面、下壁面および奥壁面を有するガイド部と、前記ガイド部の下に位置する下顎部と、前記奥壁面と前記下壁面とを繋ぐ円弧面の下部角部と、前記下顎部の突出側の角部である円弧面の下顎角部と、を備えるエアジェットルームの変形筬において、前記下顎部の突出長さが５．０ｍｍ以下に設定され、前記下部角部の曲率半径と前記下顎角部の曲率半径との曲率半径総和が、前記突出長さより小さく設定され、前記下部角部及び前記下顎角部の間に直線部が形成されていることを特徴とする。
【００１０】
本発明によれば、下顎部に対して緯入れ用補助ノズルを接近し過ぎることなく、緯入れ用補助ノズルとガイド部における上部角部との距離をできるだけ短くすることが可能である一方で、ガイド部の下壁面には空気流拡散抑制機能を有する直線部が確保されることになる。
その結果、空気消費量を低減しつつ、緯糸の緯入れミス発生の頻度を低減することができる。
【００１１】
また、本発明では、上記のエアジェットルームの変形筬において、前記直線部の長さが１．５ｍｍ以上であってもよい。
【００１２】
この場合、ガイド部の下壁面はより大きな空気流拡散抑制機能を奏する長さの直線部を含むことになり、緯糸の緯入れミス発生をより確実に防止することができる。
【発明の効果】
【００１３】
本発明によれば、緯入れ用補助ノズルの空気消費量を低減しつつ、緯糸の緯入れミス発生の頻度を低減することができるエアジェットルームの変形筬を提供することができる。
【図面の簡単な説明】
【００１４】
【図１】本発明の実施形態に係るエアジェットルームの変形筬の概要を示す斜視図である。
【図２】本発明の実施形態に係る変形筬の要部を拡大した拡大斜視図である。
【図３】変形筬の要部拡大側面図である。
【図４】従来のエアジェットルームの変形筬の要部を拡大した拡大斜視図である。
【発明を実施するための形態】
【００１５】
以下、本発明の実施形態に係るエアジェットルームの変形筬を図面に基づいて説明する。
エアジェットルームは、図１に示すように、変形筬１１を用いた緯入れ装置１０を備えている。
緯入れ装置１０のスレイ１２には変形筬１１が立設されており、図１および図２に示すように変形筬１１は筬羽１３が緯入れ方向へ多数列設されることにより構成されている。
【００１６】
各筬羽１３にはガイド部１４が凹状に形成されており、筬羽１３の列設により形成されるガイド部１４の列は変形筬１１における緯糸通路１５を形成する。
緯糸通路１５と対向する位置に緯入れ用メインノズル１６が設置され、緯入れ用メインノズル１６から射出された緯糸Ｙは緯糸通路１５を飛走する。
【００１７】
スレイ１２の前面には複数本の緯入れ用補助ノズル１７が緯糸通路１５に沿って所定間隔を保って装着されている。
緯入れ用補助ノズル１７の先端には噴射孔１８が設けられており、噴射孔１８からの噴射主流が緯糸通路１５に沿って斜め方向に向かうように、緯入れ用補助ノズル１７の位置が設定されている。
変形筬１１に緯糸通路１５が形成されており、緯入れ用補助ノズル１７の噴射孔１８は緯糸通路１５を指向している。
緯入れ時には緯入れ用補助ノズル１７が経糸Ｔを掻き分け経糸開口内に進入し、筬打ち時には緯入れ用補助ノズル１７が経糸開口内から経糸Ｔの下方へ離脱する。
緯入れ用補助ノズル１７は、経糸Ｔを掻き分けて高速で経糸開口内に対する出入を行っても経糸Ｔの損傷等の悪影響を及ばないように、ノズル本体径が小径に設定されている。
【００１８】
次に、筬羽１３のガイド部１４について説明する。
図２および図３に示すように、筬羽のガイド部１４は、上壁面２１と、奥壁面２２と、下壁面２３と、により形成されている。
ガイド部１４には、上壁面２１と奥壁面２２とを繋ぐ円弧面の上部角部２４と、奥壁面２２と下壁面２３とを繋ぐ円弧面の下部角部２５と、が形成されている。
図３に示すように、上部角部２４は所定の曲率半径ＢＲの円弧面により形成され、下部角部２５は所定の曲率半径ＣＲによる円弧面により形成されている。
筬羽１３におけるガイド部１４の上部には上顎部１９が形成されている。
上顎部１９は、上壁面２１と、上部角部２４と、上部前壁面２６と、上壁面２１と上部前壁面２６とを繋ぐ円弧面の上顎角部２７と、により区画形成されている。
上顎角部２７は所定の曲率半径ＡＲによる円弧面により形成されている。
従って、上壁面２１は、上部角部２４と、上顎角部２７を形成する円弧面の一部と、これらの円弧面の間となる水平部を含む。
上顎部１９の前方への突出長さＡは、奥壁面２２から上顎部１９の最前端までの長さである。
【００１９】
筬羽１３におけるガイド部１４の下部には下顎部２０が形成されている。
下顎部２０は、下壁面２３と、下部角部２５と、下部前壁面２８と、下壁面２３と下部前壁面２８とを繋ぐ円弧面の下顎角部２９と、により区画形成されている。
下顎角部２９は所定の曲率半径ＤＲによる円弧面により形成されている。
従って、下壁面２３は、下部角部２５及び下顎角部２９の一部と、これらの間となる直線部αと、を含む。
この実施形態では、この直線部αは水平に対して１０度の傾斜角度に設定された下り勾配である。
なお、図２において、説明の便宜上、下壁面２３における下部角部２５と直線部αとの境界と、この直線部αの境界と下顎角部２９との境界を、破線にて図示している。
図３に示すように、下顎部２０の前方への突出長さＢは、奥壁面２２から下顎部２０の最前端までの長さである。
【００２０】
この実施形態では、下顎部２０の突出長さＢが５．０ｍｍ以下に設定される条件（以下「条件１」と表記する）に加えて、下部角部２５の曲率半径ＣＲと下顎角部２９の曲率半径ＤＲとの曲率半径総和（ＣＲ＋ＤＲ）が、突出長さＢより小さく設定される条件（以下「条件２」と表記する）を満たしている。
緯入れ用補助ノズル１７の空気消費量を低減させるためには、上部角部２４と緯入れ用補助ノズル１７の噴射孔１８との距離をできるだけ短くすることが有効である。しかし、下顎部２０と緯入れ用補助ノズル１７が互いに接近し過ぎると、緯入れ時に経糸Ｔを掻き分ける際に、変形筬１１への経糸Ｔの押し付けによる痕（ノズルマーク）が発生し、経糸Ｔへ悪影響が及び可能性があるので、下顎部２０と緯入れ用補助ノズル１７との距離を短くするには限界がある。したがって、空気消費量低減のためにはできるだけ下顎部２０の突出長さＢを短くする必要がある。
【００２１】
条件１を満たすことで、変形筬１１では、緯入れ用補助ノズル１７をより筬羽１３に近づけることができ、上部角部２４から噴射孔１８までの距離が短くなり、緯入れ用補助ノズルの空気消費量を低減することができる。
【００２２】
条件２を満たすことで、筬羽１３における下壁面２３は直線部αを確実に含むことになる。
つまり、下部角部２５および下顎角部２９の円弧面のみが存在し、直線部αを含まない下壁面２３を持つ筬羽は除外される。
下壁面２３には緯入れ方向に向かうにつれて緯糸通路１５側に入り込む直線部αが形成されるが、充分な長さの直線部αが形成されない場合、直線部α形成による空気流拡散抑制効果が不足し、緯糸Ｙが緯糸通路１５から飛び出しやすくなる。直線部αを含む下壁面２３は、緯入れ時において緯糸Ｙが緯糸通路１５から外れ難くする要素であり、条件２を満たす筬羽１３によれば、下部角部２５および下顎角部２９のみが存在するガイド部を持つ筬羽と比較すると、緯糸Ｙの緯入れミス発生が抑制される。
【００２３】
そして、より好ましい筬羽としては、条件１、２を満たすほか、下顎部２０の突出長さＢから下部角部２５の曲率半径ＣＲと下顎角部２９の曲率半径ＤＲとの曲率半径総和（ＣＲ＋ＤＲ）を引いた差が、１．５ｍｍ以上である条件（以下「条件３」と表記する）を満たす筬羽である。
条件３を満たすことで、下壁面２３は、緯入れミスを確実に防止する十分な長さを持つ直線部αを含むことになり、緯入れ時において緯糸Ｙが緯糸通路１５から外れることがより確実に防止される。
逆に、上記の差「Ｂ−（ＣＲ＋ＤＲ）」が１．５ｍｍ未満の場合には、不十分な長さを持つ直線部αを含むか、あるいは直線部αを持たない下壁面が設定され、緯入れ時において緯糸Ｙが緯糸通路１５から外れる緯入れミス発生の可能性が高くなる。
【実施例】
【００２４】
次に、実施例を挙げて本発明に係る変形筬を具体的に説明する。
各部の寸法を変更した複数例の筬羽（実施例１〜３および比較例）を製作し、各筬羽による変形筬を構成した。
各変形筬をエアジェットルームの緯入れ装置に装着して運転試験を行い、運転試験結果を評価した。
なお、実施例１〜３および比較例の運転試験に用いたエアジェットルームは当社製ＪＡＴ７１０であり、運転条件としては織機回転数９００ｒｐｍ、緯糸は６番手を用いた。
実施例１〜３および比較例を表１に示す。
【００２５】
【表１】
0005573629.tif 000002
【００２６】
＜実施例１＞
実施例１の筬羽は、表１に示すように、突出長さＡを９．０ｍｍ、突出長さＢを５．０ｍｍ、曲率半径ＣＲを１．０ｍｍ、曲率半径ＤＲを２．０ｍｍに設定している。
このため、曲率半径総和（ＣＲ＋ＤＲ）は３．０ｍｍとなり、突出長さＢから曲率半径総和（ＣＲ＋ＤＲ）を引いた差「Ｂ−（ＣＲ＋ＤＲ）」は２．０ｍｍとなり、下壁面に含まれる直線部の長さは２．６８ｍｍとなる。
実施例１の筬羽を用いた変形筬は、条件１〜３を満たしている。
実施例１における運転試験結果は、調査時間を８時間１５分とし、調査時間の間では緯入れミス発生は０回であり、１時間当たりの緯入れミス回数（換算値）も０（回／ｈ）であった。
従って、運転試験結果の評価としては良好である。
【００２７】
＜実施例２＞
実施例２の筬羽は、表１に示すように、突出長さＡを９．０ｍｍ、突出長さＢを４．７ｍｍ、曲率半径ＣＲを１．０ｍｍ、曲率半径ＤＲを２．０ｍｍに設定している。
このため、曲率半径総和（ＣＲ＋ＤＲ）は３．０ｍｍとなり、突出長さＢから曲率半径総和（ＣＲ＋ＤＲ）を引いた差「Ｂ−（ＣＲ＋ＤＲ）」は１．７ｍｍとなり、下壁面に含まれる直線部αの長さは２．３８ｍｍとなる。
実施例２の筬羽を用いた変形筬は、条件１〜３を満たしている。
実施例２における運転試験結果は、調査時間を７時間１６分とし、調査時間の間では緯入れミス発生は０回であり、１時間当たりの緯入れミス回数（換算値）も０（回／ｈ）であった。
従って、運転試験結果の評価としては良好である。
【００２８】
＜実施例３＞
実施例３の筬羽は、表１に示すように、突出長さＡを９．０ｍｍ、突出長さＢを４．０ｍｍ、曲率半径ＣＲを１．０ｍｍ、曲率半径ＤＲを２．０ｍｍに設定されている。
このため、曲率半径総和（ＣＲ＋ＤＲ）は３．０ｍｍとなり、突出長さＢから曲率半径総和（ＣＲ＋ＤＲ）を引いた差「Ｂ−（ＣＲ＋ＤＲ）」は１．０ｍｍとなり、下壁面に含まれる直線部αの長さは１．６６ｍｍとなる。
実施例３の筬羽を用いた変形筬は、条件１、２を満たしている。
実施例３における運転試験結果は、調査時間を８時間２４分とし、調査時間の間では緯入れミス発生は１回であり、１時間当たりの緯入れミス回数（換算値）は０．１２（回／ｈ）であった。
実施例３では、緯入れミス発生は存在したものの、実用上の問題はない発生頻度であり、従って、運転試験結果の評価としては良好である。
【００２９】
＜比較例＞
比較例の筬羽は、表１に示すように、突出長さＡを９．０ｍｍ、突出長さＢを４．０ｍｍ、曲率半径ＣＲを２．０ｍｍ、曲率半径ＤＲを２．５ｍｍに設定されている。
このため、曲率半径総和（ＣＲ＋ＤＲ）は４．５ｍｍとなり、突出長さＢから曲率半径総和（ＣＲ＋ＤＲ）を引いた差「Ｂ−（ＣＲ＋ＤＲ）」は−０．５ｍｍとなり、下壁面に含まれる直線部αの長さは０．４５ｍｍとなる。
比較例の筬羽を用いた変形筬は、条件１のみ満たし、条件２〜３を満たさない。
比較例における運転試験結果は、調査時間を１分７秒とし、調査時間の間では緯入れミス発生は５回であり、１時間当たりの緯入れミス回数（換算値）は２７０（回／ｈ）であった。
実用上問題となる緯入れミスの発生頻度であり、従って、運転試験結果の評価としては不良である。
【００３０】
本実施形態によれば以下の作用効果を奏する。
（１）下顎部２０の突出長さＢが５ｍｍ以下に設定され、奥壁面２２と下壁面２３とを繋ぐ下部角部２５の曲率半径ＣＲと下顎角部２９の曲率半径ＤＲとの曲率半径総和（ＣＲ＋ＤＲ）が、突出長さＢより小さく設定されることで、下壁面２３に充分な長さの直線部αが確保される。このため、緯入れ時において緯糸Ｙが緯糸通路から外れ難くなり、緯入れミス発生を低減することができる。特に、緯糸に用いる糸が太くなっても緯入れミス発生の頻度は、従来よりも低減される。
【００３１】
（２）突出長さＢから曲率半径総和（ＣＲ＋ＤＲ）を差し引いた差が１．５ｍｍ以上であることで、下壁面２３は緯入れミスを確実に防止する十分な長さを持つ直線部αを含むことになり、緯入れ時において緯糸Ｙが緯糸通路１５から外れることがより確実に抑制される。その結果、緯糸Ｙの緯入れミス発生をより確実に防止することができる。
【００３２】
なお、上記の実施形態に係るエアジェットルームの変形筬は、本発明の一実施形態を示すものであり、本発明は、上記の実施形態に限定されるものではなく、発明の趣旨の範囲内で種々の変更が可能である。
【符号の説明】
【００３３】
１１  変形筬
１３、５１  筬羽
１４  ガイド部
１５  緯糸通路
１７、５３  緯入れ用補助ノズル
１８、５３Ａ  噴射孔
１９  上顎部
２０  下顎部
２１、５２Ａ  上壁面
２２、５２Ｂ  奥壁面
２３、５２Ｃ  下壁面
２４、５２Ｄ  上部角部
２５、５２Ｅ  下部角部
２６  上部前壁面
２７  上顎角部
２８  下部前壁面
２９  下顎角部
５２  ガイド孔
Ａ  突出長さ（上顎部）
Ｂ  突出長さ（下顎部）
ＡＲ  曲率半径（上顎角部）
ＢＲ  曲率半径（上部角部）
ＣＲ  曲率半径（下部角部）
ＤＲ  曲率半径（下顎角部）
Ｙ  緯糸
Ｔ  経糸
Ｗａ  延出寸法
Ｗｂ  上下の寸法
Ｗｃ  延出寸法
ｒ、Ｒ  曲率半径
Ｌ１、Ｌ２  距離
α  直線部
【図１】
0005573629.tif 000003
【図２】
0005573629.tif 000004
【図３】
0005573629.tif 000005
【図４】
0005573629.tif 000006